(57)【要約】      （修正有）【課題】鋼板を直線的に溶断したり溶接するために用いられるトーチの操作性を向上させたトーチガイドを提供する。【解決手段】リニアガイドを用いたトーチガイドであって、リニアガイドを構成するレール１０の側方に、トーチ２０の先端部を挿入できる縦孔１８を備えた治具１６を取り付け、トーチ２０を直線移動可能としたものである。なお、テール１０の下面に磁石１４を取り付け、溶断したり溶接される鋼板の表面に吸着させてレール１０を固定できるようにしておく。治具１６にはトーチ２０の先端部を固定する手段を設ける。【選択図】図６
0003226350.tif 000002
【実用新案登録請求の範囲】
【請求項１】
レールとスライダとからなるリニアガイドを用いたトーチガイドであって、
リニアガイドを構成するスライダの側方に、トーチの先端部を挿入できる縦孔を備えた治具を取り付け、
トーチを直線移動可能としたことを特徴とするトーチガイド。
【請求項２】
前記レールの下面に磁石を取り付けたことを特徴とする請求項１記載のトーチガイド。
【請求項３】
前記治具には、縦孔に挿入されたトーチの先端部を固定する固定手段を設けたことを特徴とする請求項１または２に記載のトーチガイド。
【請求項４】
前記レールの両端部に、スライダの脱落を防止するストッパを取り付けたことを特徴とする請求項１乃至３に記載のトーチガイド。
【考案の詳細な説明】
【技術分野】
【０００１】
本考案は、トーチを用いて鋼板を直線的に溶断したり溶接したりする場合に用いるトーチガイドに関するものである。
【背景技術】
【０００２】
人手により操作されるトーチを用いて鋼板を直線的に溶断したり溶接する場合には、ガイドに沿ってトーチを操作することが望ましい。このため特許文献１に示されるトーチガイドが開発されている。
【０００３】
この特許文献１のトーチガイドは、直線状のガイド本体の側面に凹溝を形成し、トーチの先端部の外周に形成されたリング状の火口嵌合部をこの凹溝に嵌合させた状態でトーチを移動させる構造となっている。このため作業者は、トーチの先端部に形成された火口嵌合部をこの凹溝に押し付けた状態でトーチを移動させねばならず、トーチの操作性の点で満足できない点があった。
【先行技術文献】
【特許文献】
【０００４】
【特許文献１】特開２０１５−２１１９７９号公報
【考案の概要】
【考案が解決しようとする課題】
【０００５】
本考案は上記した従来の問題点を解決し、トーチの操作性を向上させたトーチガイドを提供することである。
【課題を解決するための手段】
【０００６】
上記の課題を解決するためになされた本考案は、レールとスライダとからなるリニアガイドを用いたトーチガイドであって、、リニアガイドを構成するスライダの側方に、トーチの先端部を挿入できる縦孔を備えた治具を取り付け、トーチを直線移動可能としたことを特徴とするものである。
【０００７】
好ましい実施形態においては、前記レールの下面に磁石を取り付けたられている。また好ましい実施形態ににおいては、前記治具には、縦孔に挿入されたトーチの先端部を固定する固定手段が設けられている。さらにまた好ましい実施形態においては、前記レールの両端部に、スライダの脱落を防止するストッパが取り付けられている。
【考案の効果】
【０００８】
本考案のトーチガイドはレールとスライダからなるリニアガイドを利用し、そのスライダに取り付けた治具の縦孔にトーチの先端部を挿入してレールに沿って移動させるものである。このためトーチの先端はレールに沿って確実にガイドされて外れることがないため、トーチの操作性を向上させることができる。
【０００９】
また、リニアガイドを構成するレールの下面に磁石を取り付けたので鋼板の表面にレールを吸着させることができる。
【００１０】
さらに、縦孔に挿入されたトーチの先端部を固定する固定手段を設ければ、トーチの先端部の高さも固定することができ、鋼板の表面から一定高さを維持しながら、トーチを移動させることができる。
【００１１】
さらにまた、レールの両端部に、スライダの脱落を防止するストッパを取り付けておけば、レールの端部からスライダが抜けてしまうことがない。
【図面の簡単な説明】
【００１２】
【図１】実施形態のトーチガイドの平面図である。
【図２】実施形態のトーチガイドの一部切欠正面図である。
【図３】実施形態のトーチガイドの一部切欠左側面図である。
【図４】リニアガイドの分解図である。
【図５】トーチの正面図である。
【図６】使用状態を示す正面図である。
【図７】使用状態を示す左側面図である。
【考案を実施するための形態】
【００１３】
以下に本考案の好ましい実施形態を説明する。
図１は実施形態のトーチガイドの平面図、図２はその一部切欠正面図、図３はその一部切欠左側面図である。これらの図において、１０はリニアガイドのレール、１１はリニアガイドのスライダである。リニアガイドは市販のものを利用することができる。
【００１４】
図４はリニアガイドの分解図であり、レール１０の上面両側の斜面に溝１２が形成されており、スライダ１１の下面両側にはこれらの溝１２に嵌合するミニチュアベアリング１３が設けられている。このためスライダ１１はレール１０の上を自由に走行することができる。
【００１５】
図２に示したように、レール１０の下面には磁石１４が適宜の間隔で複数個取り付けられている。磁石１４としてはネオジウム磁石のような強力な永久磁石を用いることが好ましい。この磁石１４によって、レール１０を鋼板の表面に動かないように吸着させることができる。
【００１６】
スライダ１１の側面には、治具１６がボルト１７によって固定されている。図３に示すようにこの治具１６は水平方向に突出させたアーム部１７を備えており、このアーム部１７にトーチの先端部を挿入できる縦孔１８が形成されている。また図３に示すように、アーム部１７には縦孔１８に挿入されたトーチの先端を固定する固定手段１９が取り付けられている。この実施形態では固定手段１９は蝶ねじであり、その先端によってトーチの先端を押圧して固定することができる。
【００１７】
レール１０の両端部には、スライダ１１の脱落を防止するストッパ１５を取り付けてある。この実施形態では、ストッパ１５は金属板をレール１０の端面にボルトで固定したものであるが、その構造は自由である。
【００１８】
トーチ２０は図５に示すように、トーチ本体２１の基部に握り管２２を備え、この部分に酸素ガス供給口２３、燃料ガス供給口２４が設けられている。またトーチ本体２１の先端のトーチヘッド２５には、円筒状の火口２６が設けられている。２７、２８はガスの流量調節弁である。
【００１９】
図６と図７は本考案のトーチガイドの使用状態を示す図であり、図示されるようにトーチ２０の先端部の円筒状の火口２６が治具１６の縦孔１８に挿入されている。また挿入高さを一定に保つため、固定手段１９を締め付けて火口２６の高さを一定に保持しておくとよい。なお、レール１０は鋼板の溶断又は溶接部分に、予め磁石１４によって吸着させておく。
【００２０】
このように、本考案のトーチガイドにトーチ２０の先端部を保持させ、スライダ１１とともにトーチ２０を移動させれば、極めて正確な直線に沿って鋼板を溶断又は溶接することができる。また、トーチ２０の先端部がスライダ１１から外れることもないので、トーチの操作性を大幅に向上させることができる。
【００２１】
なお、トーチ２０の種類に応じてスライダ１１に取り付ける治具１６を交換することにより、様々なサイズのトーチ２０をガイドすることができる。
【００２２】
以上に説明したように、本考案のトーチガイドはトーチ２０の操作性を向上させたものであり、その実用的価値は極めて大きいものである。
【符号の説明】
【００２３】
１０  リニアガイドのレール
１１  リニアガイドのスライダ
１２  溝
１３  ミニチュアベアリング
１４  磁石
１５  ストッパ
１６  治具
１７  ボルト
１８  縦孔
１９  固定手段
２０  トーチ
２１  トーチ本体
２２  握り管
２３  酸素ガス供給口
２４  燃料ガス供給口
２５  トーチヘッド
２６  火口
２７  流量調節弁
２８  流量調節弁
【図１】
0003226350.tif 000003
【図２】
0003226350.tif 000004
【図３】
0003226350.tif 000005
【図４】
0003226350.tif 000006
【図５】
0003226350.tif 000007
【図６】
0003226350.tif 000008
【図７】
0003226350.tif 000009